(57)【特許請求の範囲】
【請求項１】
差替印字体を収納する差替印字体収納部と、
ピンセットを収納するピンセット収納部と、
を有する差替印字体収納ケースにおいて、
前記ピンセット収納部の一端に、前記ピンセット収納部の上面をまたぐように押圧保持部を設け、前記ピンセットの挟持部を前記押圧保持部と前記ピンセット収納部の底部との間で押圧保持し、
前記ピンセット収納部の他端に、前記ピンセット収納部の底部から前記ピンセット収納部の周囲枠上端まで傾斜する傾斜ガイドを設けたことを特徴とする差替印字体収納ケース。
【請求項２】
前記押圧保持部の先端に窓部を設けたことを特徴とする請求項１に記載の差替印字体収納ケース。
【発明の詳細な説明】
【技術分野】
【０００１】
本発明は、差替式印判の差替印字体と、この差替印字体を取り出して差替えるために使用するピンセットとを収納することができる、差替印字体収納ケースに関する。
【背景技術】
【０００２】
従来から、日付差替印字体の年月日それぞれを差替えて使うタイプや、日付以外にも製品番号、サイズ、名前、記号等の差替印字体を差替えて使うタイプ等の印判が広く用いられており、このような差替印字体は、差替印字体収納ケースに収納されている。
そして、特許文献１に示されるように、差替印字体収納ケースにピンセットを収納するケースが知られており、このような、差替印字体収納ケースは、差替印字体を取り出して差し替える際に、ピンセットを用意する必要がなく便利である。
そして、特許文献２に示されるように、日付印収納部の側壁内側に金具を突設してピンセットを係止する構造や、特許文献３に示されるように、挟持壁と区分壁との間にピンセットを閉じた状態で収納する構造が知られており、収納ケースを持ち運ぶ際にピンセットがケース内でがたつくことを防止でき便利である。
【先行技術文献】
【特許文献】
【０００３】
【特許文献１】実開昭５３−１２０１４号公報
【特許文献２】実開昭４８−７０７０６号公報
【特許文献３】特開２００７−１５２００号公報
【発明の概要】
【発明が解決しようとする課題】
【０００４】
しかしながら、特許文献１に示される差替印字体収納ケースは、収納部にピンセットを固定する構造でないため、収納ケースを持ち運ぶ際にピンセットがケース内でがたつき、ピンセットを紛失する原因となっていた。また、ピンセットを収納する際、ピンセットの収納方向が決まっていないため、ピンセット挟持部にインキが付着した状態で両方向の収納を繰り返すと、収納部全体がインキで汚れ、最終的にピンセットの基部や把持部に付着したインキで手が汚れてしまう問題が生じていた。
特許文献２に示される差替印字体収納ケースは、側壁内側に２個の金具を突設してピンセットを係止する構造のため、ピンセットの係止方向が決まっていない。そのため、ピンセット挟持部にインキが付着した状態で両方向の係止を繰り返すと、両方の金具がインキで汚れ、最終的にピンセットの基部や把持部に付着したインキで手が汚れてしまう問題が生じていた。
特許文献３に示される差替印字体収納ケースは、収納部にピンセットを押圧保持する構造であって、ピンセットの収納方向が決まっているため前記問題は解消されるが、押圧保持を解除してピンセットを収納部から取り外す際に摘み取る必要があるため、指の太い人には扱い難いものである上、ケースに別途、切欠や摘み凹部等のスペースを確保する必要があり設計上制限がかかる問題が生じていた。
【課題を解決するための手段】
【０００５】
上記課題を解決するためになされた第１の発明の差替印字体収納ケースは、差替印字体を収納する差替印字体収納部と、ピンセットを収納するピンセット収納部と、を有する差替印字体収納ケースにおいて、前記ピンセット収納部の一端に、前記ピンセット収納部の上面をまたぐように押圧保持部を設け、前記ピンセットの挟持部を前記押圧保持部と前記ピンセット収納部の底部との間で押圧保持し、前記ピンセット収納部の他端に、前記ピンセット収納部の底部から前記ピンセット収納部の周囲枠上端まで傾斜する傾斜ガイドを設けたことを特徴とする。
【０００６】
第２の発明は、前記押圧保持部の先端に窓部を設けたことを特徴とする第１の発明に記載の差替印字体収納ケースである。
【発明の効果】
【０００７】
第１の発明によれば、ピンセット収納部の一端に、ピンセットの挟持部を押圧保持する押圧保持部を設けたため、ピンセットを収納ケースに押圧保持することが可能となり、ピンセットがケース内でがたつくことを防止できる。また、ピンセットの収納方向が決まっているため、ピンセットの基部や把持部にインキが付着することを防止でき、その結果インキで手が汚れることを防止できる。
また、ピンセットは、押圧保持部とピンセット収納部の底部との間で押圧保持されるため、ピンセットを取り外す際、ピンセットの把持部を底部に向かって押圧することで保持が解除できる。この操作は、指先一本で可能なため、摘み取るための切欠等のスペースを別途必要とせず、設計上の制限が緩和される。
また、ピンセット収納部の他端に傾斜ガイドを設けたため、押圧保持を解除した後、ピンセットの基部を傾斜ガイド外側に向かってスライドさせることによって、ピンセットをピンセット収納部から容易に取り出すことができる。
第２の発明によれば、押圧保持部の先端に窓部を設けたため、ピンセットを押圧保持部に保持する際、ピンセットの先端がピンセット収納部の先端まで収納されたことを目視で確認することができ、ピンセットが中途半端な位置で保持されることを防止できる。ピンセットが中途半端な位置で保持されると、ケース内でのがたつきや、蓋体を開けた際のピンセットの不用意な飛び出しによる周囲の汚損や、ピンセット自体を紛失する原因となる。
【図面の簡単な説明】
【０００８】
【図１】差替印字体収納ケースの分解斜視図である。
【図２】差替印字体収納ケースの平面図である。
【図３】図２におけるＡ−Ａ断面図である。
【図４】ピンセットを取り外した状態を示す断面図である。
【図５】第２の実施形態の平面図である。
【図６】図５におけるＢ−Ｂ断面図である。
【発明を実施するための形態】
【０００９】
（第１の実施形態の説明）
以下、図面を参照しつつ、本発明の好ましい実施の形態を示す。図１〜図４に示されるように、本発明の差替印字体収納ケースは、基箱１、蓋体２、パッド４、枠体５から構成されている。本発明の差替印字体収納ケースは、図１に示されるように、基箱１の一側縁に、ヒンジ部３を介して蓋体２を開閉自在に枢着し、基箱１にパッド４を収納した状態で枠体５を嵌め込んだ構造のものである。以下、詳細に説明する。
【００１０】
基箱１は、上面が開口した箱形形状である。基箱１の一側縁には、蓋体２が取り付けられている。基箱１と蓋体２は、ヒンジ部３を介して開閉自在に枢着する。基箱１のヒンジ部３を取り付けた側縁と反対側である他端の側縁には、蓋体２のロック部材８が取り付けてある。
【００１１】
蓋体２は、基箱１と同形状に形成され、下面が開口した箱形形状である。蓋体２の内周縁にパッキン２１を設けることで、後述するパッド４に揮発性インキを含浸した際の乾燥防止機能を付加する構成でもよい。
【００１２】
基箱１の上面開口に、枠体５を装着する。装着の方法は、接着や嵌着を採用でき、着脱自在に装着してもよい。本実施例では、基箱１の内周縁に設けたリブと枠体５の外周縁に設けたリブで嵌着している。
枠体５には、四角枠状の周囲枠５４と、周囲枠５４の内部を略平行に仕切る仕切５５と、隣接する仕切５５によって形成される差替印字体収納部５１と、ピンセット収納部５２が設けられる。基箱１に枠体５を装着する際に、基箱１の底部１１と差替印字体収納部５１下面との間にパッド４を敷設する。本実施例では、仕切５５を４箇所設けることで、差替印字体収納部５１を５箇所設けてある。差替印字体収納部５１の数や大きさは、差替印字体６の数や大きさに応じて、適宜設計変更可能である。
【００１３】
パッド４は、無数の連続気孔を有する多孔性合成樹脂、発泡ゴム材、硬質の発泡プラスチック材、フェルト等よりなり、インキを含浸することができる。含浸するインキは、水性、油性、染料系、顔料系、を適宜採用することができ、後述の差替印字体６に使用するインキと同じものを使用する。
【００１４】
差替印字体収納部５１には、差替印字体６を収納する。差替印字体６は、スポンジ等のインキ自給性を有する多孔性印材よりなる印字体や、非多孔性印材よりなりインキを転写して捺印するゴム印タイプの印字体を採用できる。差替印字体６の底面は、前記パッド４の上面に接するように収納する。この際、多孔性印材よりなる印字体の場合、予めパッド４に含浸されたインキが印字体底面より補充され、常に捺印可能な状態となる。非多孔質印材の場合は、インキを補充する必要がないため、インキパッド４自体必要ない。
差替印字体６は、日付差替印字体の年月日それぞれを差替えて使うタイプの数字印字体や、日付以外にも製品番号、サイズ、名前、記号等の文字印字体等を使用できる。
【００１５】
ピンセット収納部５２には、ピンセット７を収納する。ピンセット７は、二枚の板体を基部７１で互いに接合して形成したものであって、基部７１から先端に向かって、指で摘む把持部７３、差替印字体６を摘む挟持部７２で構成される。
【００１６】
ピンセット収納部５２の一端には、押圧保持部５３を設ける。押圧保持部５３は、ピンセット収納部５２の上面をまたぐように橋渡し状に設ける。ピンセットの挟持部７２は、押圧保持部５３と、基箱１の底部１１との間で押圧保持される。基箱１に枠体５を装着した際、押圧保持部５３と、基箱１の底部１１との対向間隔は、ピンセット７の自由状態における板体の対向間隔より小さい寸法設定にする。ピンセット収納部５２の外枠形状は、略ピンセット７の形状と同じ形状にすると、ピンセット７の収納方向がより明確となるとともにピッタリ収納できるため、ピンセット７の基部７１や把持部にインキが付着することを防止できる。また、がたつきも防止できる。
本実施例のピンセット収納部５２の底は、基箱１の底部１１を利用しているが、ピンセット収納部５２の底に別途底板を設けてもよいものである。別途底板を設ける構成は、枠体５に一体で成型してもよいし、別体で設けた板体を嵌合する構成でもよい。
【００１７】
ピンセット収納部５２の他端には、傾斜ガイド５６を設ける。傾斜ガイド５６は、前記ピンセット収納部５２の底部１１から周囲枠５４上端に向かって斜めに設ける。これにより、基箱１に枠体５を装着した際、傾斜ガイド５６は、基箱１の底部１１から基箱１の外側上方に向かって傾斜する傾斜面となる。傾斜面の傾斜角度は、０度より大きく９０度より小さい範囲で、ピンセットの基部７１がスライドできるように適宜設定できる。
本実施例では、傾斜ガイド５６の下方端面を基箱１の底部１１に当接させているが、基部７１がスライドする際、その動きを妨害しない範囲であれば、当接していなくてもよい。
また、ピンセット７をピンセット収納部５２に収納したとき、ピンセット７の基部７１が傾斜ガイド５６に当接するように設計してもよいし、ピンセット７を取り出すためにスライドさせたとき、基部７１が当接するように設計してもよい。
【００１８】
（第１の実施形態の作用）
本実施形態では、差替印字体収納ケースにピンセット７を収納する際の、ピンセット７のがたつきを防止するために、枠体５に押圧保持部５３を設けている。また、ピンセット７をピンセット収納部５２から容易に取り出すために、ピンセット収納部５２に傾斜ガイド５６を設けている。
ピンセット７をピンセット収納部５２に収納するときは、図４に示すように、ピンセット７の把持部７３を押圧しながら、把持部７３または基部７１を傾斜ガイド５６に沿って下方へスライドさせ、挟持部７２の先端がピンセット収納部先端５８に突接したところで把持部７３への押圧を解除する。すると、ピンセット７の挟持部７２が、押圧保持部５３と基箱１の底部１１との間で押圧保持され、ピンセット７の収納が完了した図３の状態となる。
ピンセット７をピンセット収納部５２から取り出す際は、収納時と逆の工程をたどる。ピンセット７の把持部７３を押圧しながら、基部７１を傾斜ガイド５６に沿って上方へ向かってスライドさせ、挟持部７２の先端が、押圧保持部５３から外れたところで把持部７３の押圧を解除する。すると、ピンセット収納部５２からピンセット７の取り出しが完了する。
【００１９】
（第２の実施形態の説明）
図５、図６に第２の実施形態の差替印字体収納ケースを示し、以下第２の実施形態について説明する。第２の実施形態の差替印字体収納ケースは、前記押圧保持部５３の先端に窓部５７を設ける。窓部５７は、押圧保持部５３の先端部分を穿孔して設ける。窓部５７からは、ピンセット収納部５２の先端を目視で確認できることになる。窓部５７の形状は、ピンセット収納部５２の先端を目視で確認できれば、どのような形状であってもよい。
その他は、第１の実施形態と同じ構造である。
【００２０】
（第２の実施形態の作用）
本実施形態では、ピンセット７の先端がピンセット収納部先端５８まで収納されたことを目視で確認するために、押圧保持部５３の先端に窓部５７を設けている。
図５、図６に示されるように、ピンセット７をピンセット収納部５２に収納するとき、窓部５７からピンセット７の先端の動きを確認しながらスライドさせることができるため、ピンセット７の先端がピンセット収納部先端５８に確実に位置することを確認することができる。
このような構成であると、ピンセット７がピンセット収納部５２にピッタリ収納されるため、ケース内でのがたつき防止や、蓋体２を開けた際のピンセット７の不用意な飛び出しを防止することができる。
【００２１】
以上、現時点において、もっとも、実践的であり、かつ好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴う差替印字体収納ケースもまた技術的範囲に包含されるものとして理解されなければならない。 
【符号の説明】
【００２２】
１  基箱
１１底部
２  蓋体
２１パッキン
３  ヒンジ部
４  パッド
５  枠体
５１  差替印字体収納部
５２  ピンセット収納部
５３  押圧保持部
５４  周囲枠
５５  仕切
５６  傾斜ガイド
５７  窓部
５８  ピンセット収納部先端
６  差替印字体
７  ピンセット
７１  基部
７２  挟持部
７３  把持部
８  ロック部材
【図１】
0005534561.tif 000002
【図２】
0005534561.tif 000003
【図３】
0005534561.tif 000004
【図４】
0005534561.tif 000005
【図５】
0005534561.tif 000006
【図６】
0005534561.tif 000007